(57)【特許請求の範囲】
【請求項１】
プルトップタブの口金押し下げ部により口金が押し下げられて開栓されたプルトップ開口を封止する飲料用缶のプルトップ開口封止具であって、
前記飲料用缶の上蓋部と胴部とを結合するかしめ部に着脱可能に係合する複数の係合部を有し、前記上蓋部の略側方からスライドさせるようにして前記係合部を前記かしめ部に係合させることにより、前記上蓋部に装着される本体部と、
前記上蓋部に対して近接、離反する方向に開閉可能に前記本体部と結合された開閉部と、
前記開閉部が閉じられたときに前記開閉部に係合することにより、前記開閉部を閉鎖位置にてロックするロック部と、
与えられる操作力に基づいて前記ロック部と前記開閉部との係合状態を解除する操作部と、
前記開閉部の前記上蓋部に向けられる面に設けられ、前記本体部が前記上蓋部に装着された状態で前記開閉部が閉じられたときに、前記プルトップ開口の周縁部に密着して前記プルトップ開口を封止する封止部と、
を備えることを特徴とする飲料用缶のプルトップ開口封止具。
【請求項２】
請求項１に記載の飲料用缶のプルトップ開口封止具において、
前記封止部は、
前記本体部が前記上蓋部に装着されたときに、前記上蓋部の径方向内方に向けて張り出す挿入先端部を備え、
前記挿入先端部は、前記開閉部が前記プルトップ開口の略上方に位置するように前記本体部が前記上蓋部に装着された状態で、前記開閉部が閉じられたときに、前記プルトップタブの前記口金押し下げ部の下側に挿入され、前記周縁部における前記上蓋部の前記径方向内方側の部分に密着することを特徴とする飲料用缶のプルトップ開口封止具。
【請求項３】
請求項１又は請求項２に記載の飲料用缶のプルトップ開口封止具において、
前記封止部は、
前記開閉部の前記面に結合された第１の取付部と、折曲げ部を介して前記第１の取付部と結合された第２の取付部とを有し、前記第１の取付部と前記第２の取付部との間の間隔を増減させるような外力に対して前記折曲げ部が弾性変形する支持部材と、
略ゴム状の弾性を有し、前記支持部材の前記第２の取付部に配設され、前記プルトップ開口の前記周縁部に密着される封止材と、
を備えることを特徴とする飲料用缶のプルトップ開口封止具。
【請求項４】
請求項２に記載の飲料用缶のプルトップ開口封止具において、
前記本体部の下面側に設けられ、前記開閉部が前記プルトップ開口の略上方に位置するように前記本体部が前記上蓋部に装着されたときに、前記プルトップタブの引き上げ部が斜めに起こされている場合に前記引き上げ部を下方に押し下げるプルトップ押し下げ部をさらに備えることを特徴とする飲料用缶のプルトップ開口封止具。
【請求項５】
請求項２又は請求項４に記載の飲料用缶のプルトップ開口封止具において、
前記本体部は、
前記飲料用缶に装着されたときに前記飲料用缶の天板と略平行になるように延設されたベース部と、
前記開閉部と結合される結合部と、
さらにを備え、
前記結合部は、前記開閉部が開閉されるときの回転軸が前記ベース部の上面よりも上方に位置するように、前記ベース部の上面から上方に突設されていることを特徴とする飲料用缶のプルトップ開口封止具。
【請求項６】
プルトップタブの口金押し下げ部により口金が押し下げられて開栓されたプルトップ開口を封止する飲料用缶のプルトップ開口封止具であって、
前記飲料用缶の上蓋部と胴部とを結合するかしめ部に着脱可能に係合する複数の係合部を有し、前記上蓋部の略側方からスライドさせるようにして前記係合部を前記かしめ部に係合させることにより、前記上蓋部に装着される本体部と、
前記本体部の下面側に設けられ、前記本体部が前記上蓋部に装着されたときに、前記プルトップ開口の周縁部に密着して前記プルトップ開口を封止する封止部と、
を備えることを特徴とする飲料用缶のプルトップ開口封止具。
【請求項７】
請求項６に記載の飲料用缶のプルトップ開口封止具において、
前記本体部の下面側に設けられ、前記プルトップタブの引き上げ部を受け入れて保持するプルトップ挿入部をさらに備え、
前記封止部は、前記プルトップタブの前記引き上げ部が前記プルトップ挿入部に挿入される方向から前記本体部がスライドされて前記上蓋部に装着された後、前記封止部が前記プルトップ開口に対向するように前記プルトップ開口封止具が前記プルトップタブとともに回転されるのに伴って、前記プルトップ開口の前記周縁部に密着することを特徴とする飲料用缶のプルトップ開口封止具。
【請求項８】
請求項７に記載の飲料用缶のプルトップ開口封止具において、
前記封止部は、
前記本体部が前記上蓋部に装着されたときに、前記上蓋部の径方向内方に向けて張り出す挿入先端部を備え、
前記挿入先端部は、
前記プルトップタブの前記引き上げ部が前記プルトップ挿入部に挿入される方向から前記本体部がスライドされて前記上蓋部に装着されるのに伴って、前記プルトップタブにおける缶本体との固定部の周辺に位置する部分の下側に挿入され、前記封止部が前記プルトップ開口に対向するように前記プルトップ開口封止具が前記プルトップタブとともに回転されるのに伴って、前記プルトップ開口の前記周縁部における前記上蓋部の前記径方向内方側の部分に密着することを特徴とする飲料用缶のプルトップ開口封止具。
【請求項９】
請求項６に記載の飲料用缶のプルトップ開口封止具において、
前記封止部は、
前記本体部が前記上蓋部に装着されたときに、前記上蓋部の径方向内方に向けて張り出す挿入先端部を備え、
前記挿入先端部は、前記封止部が前記プルトップ開口に対応する方向から前記本体部がスライドされて前記上蓋部に装着されるのに伴って、前記プルトップタブの前記口金押し下げ部の下側に挿入され、前記周縁部における前記上蓋部の前記径方向内方側の部分に密着することを特徴とする飲料用缶のプルトップ開口封止具。
【発明の詳細な説明】
【技術分野】
【０００１】
本発明は、清涼飲料（例えば、コーヒー等）及び酒類（例えば、ビール等）等の飲料が入れられたプルトップ開栓式の飲料用缶において、開栓された缶内に飲料が残った状態でプルトップ開口を封止して保存するような場合に用いられる飲料用缶のプルトップ開口封止具に関する。
【背景技術】
【０００２】
従来の飲料用缶のプルトップ開口封止具としては、特許文献１に記載のものがある。この特許文献１に記載の封止具は粘着式のシールであり、開栓されたプルトップ開口の周辺に貼着することにより、プルトップ開口の封止及び封止具の固定が行われる。
【特許文献１】実開平５−８９２６２号公報
【発明の開示】
【発明が解決しようとする課題】
【０００３】
しかしながら、上述の従来の封止具は粘着式のシールであるため、飲料用缶が倒れる等して封止具が缶内に残っている飲料により押圧された場合等に、封止具が外れてしまい、缶内の飲料が漏れるおそれがあるとともに、繰り返しの使用も困難である。
【０００４】
そこで、本発明の解決すべき課題は、飲料用缶に簡単に装着でき、しかも飲料用缶からの意図しない脱落等を生じることなく、プルトップ開口を確実に封止でき、繰り返し使用できる飲料用缶のプルトップ開口封止具を提供することである。
【課題を解決するための手段】
【０００５】
上記の課題を解決するため、請求項１の発明では、プルトップタブの口金押し下げ部により口金が押し下げられて開栓されたプルトップ開口を封止する飲料用缶のプルトップ開口封止具であって、前記飲料用缶の上蓋部と胴部とを結合するかしめ部に着脱可能に係合する複数の係合部を有し、前記上蓋部の略側方からスライドさせるようにして前記係合部を前記かしめ部に係合させることにより、前記上蓋部に装着される本体部と、前記上蓋部に対して近接、離反する方向に開閉可能に前記本体部と結合された開閉部と、前記開閉部が閉じられたときに前記開閉部に係合することにより、前記開閉部を閉鎖位置にてロックするロック部と、与えられる操作力に基づいて前記ロック部と前記開閉部との係合状態を解除する操作部と、前記開閉部の前記上蓋部に向けられる面に設けられ、前記本体部が前記上蓋部に装着された状態で前記開閉部が閉じられたときに、前記プルトップ開口の周縁部に密着して前記プルトップ開口を封止する封止部とを備える。
【０００６】
また、請求項２の発明では、請求項１の発明に係る飲料用缶のプルトップ開口封止具において、前記封止部は、前記本体部が前記上蓋部に装着されたときに、前記上蓋部の径方向内方に向けて張り出す挿入先端部を備え、前記挿入先端部は、前記開閉部が前記プルトップ開口の略上方に位置するように前記本体部が前記上蓋部に装着された状態で、前記開閉部が閉じられたときに、前記プルトップタブの前記口金押し下げ部の下側に挿入され、前記周縁部における前記上蓋部の前記径方向内方側の部分に密着する。
【０００７】
また、請求項３の発明では、請求項１又は請求項２の発明に係る飲料用缶のプルトップ開口封止具において、前記封止部は、前記開閉部の前記面に結合された第１の取付部と、折曲げ部を介して前記第１の取付部と結合された第２の取付部とを有し、前記第１の取付部と前記第２の取付部との間の間隔を増減させるような外力に対して前記折曲げ部が弾性変形する支持部材と、略ゴム状の弾性を有し、前記支持部材の前記第２の取付部に配設され、前記プルトップ開口の前記周縁部に密着される封止材とを備える。
【０００８】
また、請求項４の発明では、請求項２の発明に係る飲料用缶のプルトップ開口封止具において、前記本体部の下面側に設けられ、前記開閉部が前記プルトップ開口の略上方に位置するように前記本体部が前記上蓋部に装着されたときに、前記プルトップタブの引き上げ部が斜めに起こされている場合に前記引き上げ部を下方に押し下げるプルトップ押し下げ部をさらに備える。
【０００９】
また、請求項５の発明では、請求項２又は請求項４の発明に係る飲料用缶のプルトップ開口封止具において、前記本体部は、前記飲料用缶に装着されたときに前記飲料用缶の天板と略平行になるように延設されたベース部と、前記開閉部と結合される結合部と、さらにを備え、前記結合部は、前記開閉部が開閉されるときの回転軸が前記ベース部の上面よりも上方に位置するように、前記ベース部の上面から上方に突設されている。
【００１０】
また、請求項６の発明では、プルトップタブの口金押し下げ部により口金が押し下げられて開栓されたプルトップ開口を封止する飲料用缶のプルトップ開口封止具であって、前記飲料用缶の上蓋部と胴部とを結合するかしめ部に着脱可能に係合する複数の係合部を有し、前記上蓋部の略側方からスライドさせるようにして前記係合部を前記かしめ部に係合させることにより、前記上蓋部に装着される本体部と、前記本体部の下面側に設けられ、前記本体部が前記上蓋部に装着されたときに、前記プルトップ開口の周縁部に密着して前記プルトップ開口を封止する封止部とを備える。
【００１１】
また、請求項７の発明では、請求項６の発明に係る飲料用缶のプルトップ開口封止具において、前記本体部の下面側に設けられ、前記プルトップタブの引き上げ部を受け入れて保持するプルトップ挿入部をさらに備え、前記封止部は、前記プルトップタブの前記引き上げ部が前記プルトップ挿入部に挿入される方向から前記本体部がスライドされて前記上蓋部に装着された後、前記封止部が前記プルトップ開口に対向するように前記プルトップ開口封止具が前記プルトップタブとともに回転されるのに伴って、前記プルトップ開口の前記周縁部に密着する。
【００１２】
また、請求項８の発明では、請求項７に記載の飲料用缶のプルトップ開口封止具において、前記封止部は、前記本体部が前記上蓋部に装着されたときに、前記上蓋部の径方向内方に向けて張り出す挿入先端部を備え、前記挿入先端部は、前記プルトップタブの前記引き上げ部が前記プルトップ挿入部に挿入される方向から前記本体部がスライドされて前記上蓋部に装着されるのに伴って、前記プルトップタブにおける缶本体との固定部の周辺に位置する部分の下側に挿入され、前記封止部が前記プルトップ開口に対向するように前記プルトップ開口封止具が前記プルトップタブとともに回転されるのに伴って、前記プルトップ開口の前記周縁部における前記上蓋部の前記径方向内方側の部分に密着する。
【００１３】
また、請求項９の発明では、請求項６の発明に係る飲料用缶のプルトップ開口封止具において、前記封止部は、前記本体部が前記上蓋部に装着されたときに、前記上蓋部の径方向内方に向けて張り出す挿入先端部を備え、前記挿入先端部は、前記封止部が前記プルトップ開口に対応する方向から前記本体部がスライドされて前記上蓋部に装着されるのに伴って、前記プルトップタブの前記口金押し下げ部の下側に挿入され、前記周縁部における前記上蓋部の前記径方向内方側の部分に密着する。
【発明の効果】
【００１４】
請求項１に記載の発明によれば、本体部に設けられた複数の係合部を、飲料用缶の上蓋部と胴部とを結合するかしめ部に係合させる構成であるため、プルトップ開口封止具の飲料用缶からの意図しない脱落等を確実に防止することができる。
【００１５】
また、飲料用缶の上蓋部の略側方からスライドさせるようにして係合部をかしめ部に係合させることにより、プルトップ開口封止具の装着が行われるため、プルトップ開口封止具の飲料用缶への装着を簡単に行うことができるとともに、プルトップ開口封止具を飲料用缶に対して容易に着脱して繰り返し使用できる。
【００１６】
また、プルトップ開口封止具の本体部が飲料用缶の上蓋部に装着された状態で開閉部が閉じられたときに、封止部がプルトップ開口の周縁部に密着してプルトップ開口を封止するため、飲料用缶のプルトップ開口を確実に封止できる。
【００１７】
また、封止部が設けられた開閉部が開閉可能に本体部に結合されているため、本体部を飲料用缶に装着するときに封止部が邪魔になることがなく、本体部の飲料用缶への装着を容易に行うことができる。
【００１８】
また、開閉部に封止部が設けられているため、開閉部を開閉させることにより、封止具の本体部を飲料用缶に装着したままの状態でプルトップ開口を封止、開放でき、便利である。
【００１９】
請求項２に記載の発明によれば、開栓時にプルトップタブが缶本体から外れないで残るステイオンタブ（Stay-on tab）式の飲料用缶の場合であっても、プルトップ開口を確実に封止できる。すなわち、ステイオンタブ式の飲料用缶では、開栓後もプルトップタブの口金押し下げ部がプルトップ開口の上に重なるようにして残っているため、プルトップ開口の周縁部におけるプルトップタブの口金押し下げ部の下方に位置する部分を如何にして封止するかが問題となる。この点に関して、本発明では、開閉部がプルトップ開口の略上方に位置するように本体部が上蓋部に装着された状態で、開閉部が閉じられたときに、封止部の挿入先端部が、プルトップタブの口金押し下げ部の下側に挿入され、プルトップ開口の周縁部における上蓋部の径方向内方側の部分に密着する。これによって、プルトップ開口の周縁部におけるプルトップタブの口金押し下げ部の下方に位置する部分についても確実に封止できる。
【００２０】
請求項３に記載の発明によれば、本体部が飲料用缶の上蓋部に装着され、開閉部が閉じられたときに、封止部の支持部材の折曲げ部の弾性により、封止材を適度な押圧力で飲料用缶のプルトップ開口の周縁部に密着させることができる。これによって、飲料用缶のプルトップ開口の封止の信頼性がさらに向上する。
【００２１】
請求項４に記載の発明によれば、本体部の下面側に設けられたプルトップ押し下げ部が、開閉部がプルトップ開口の略上方に位置するように本体部が上蓋部に装着されたときに、プルトップタブの引き上げ部が斜めに起こされている場合にその引き上げ部を下方に押し下げ、これによって、プルトップタブの口金押し下げ部が上方に起こされる。このため、封止部の挿入先端部のプルトップタブの口金押し下げ部の下側への挿入を容易とすることができ、プルトップ開口の封止の信頼性をさらに高めることができる。
【００２２】
請求項５に記載の発明によれば、本体部の結合部が、開閉部が開閉されるときの回転軸がベース部の上面よりも上方に位置するように、ベース部の上面から上方に突設されている。このため、開閉部が閉じられるときに、封止部の挿入先端部を飲料用缶の天板に対してより平行に近い方向からプルトップタブの口金押し下げ部の下側に挿入できる。これによって、プルトップタブの口金押し下げ部がやや下方に変位されている場合等であっても、封止部の挿入先端部を口金押し下げ部の下側へ確実に挿入させることできる。
【００２３】
請求項６に記載の発明によれば、本体部に設けられた複数の係合部を、飲料用缶の上蓋部と胴部とを結合するかしめ部に係合させる構成であるため、プルトップ開口封止具の飲料用缶からの意図しない脱落等を確実に防止することができる。
【００２４】
また、飲料用缶の上蓋部の略側方からスライドさせるようにして係合部をかしめ部に係合させることにより、プルトップ開口封止具の装着が行われるため、プルトップ開口封止具の飲料用缶への装着を簡単に行うことができるとともに、プルトップ開口封止具を飲料用缶に対して容易に着脱して繰り返し使用できる。
【００２５】
請求項７に記載の発明によれば、プルトップタブの引き上げ部がプルトップ挿入部に挿入される方向から本体部がスライドされて上蓋部に装着された後、封止部がプルトップ開口に対向するように本体部がプルトップとともに回転されるのに伴って、封止部がプルトップ開口の周縁部に密着して封止が行われる。このため、簡単な装着操作により、飲料用缶のプルトップ開口を封止できる。
【００２６】
また、プルトップタブの引き上げ部がプルトップ挿入部に挿入されるようにして本体部が上蓋部に装着された状態でプルトップ開口封止具が回転された際に、プルトップタブも缶本体との固定部を中心に回転され、これによって、プルトップタブの口金押し下げ部がプルトップ開口の外方に移動される。その結果、ステイオンタブ式の飲料用缶の場合であっても、プルトップタブの口金押し下げ部に邪魔させることなく、封止部をプルトップ開口の周縁部に容易に密着させることができ、プルトップ開口を確実に封止できる。
【００２７】
請求項８に記載の発明によれば、封止部の挿入先端部が、本体部がスライドされて上蓋部に装着されるのに伴って、プルトップタブにおける缶本体との固定部の周辺に位置する部分の下側に挿入され、封止部がプルトップ開口に対向するようにプルトップ開口封止具がプルトップタブとともに回転されるのに伴って、プルトップ開口の前記周縁部における上蓋部の径方向内方側の部分に密着する。このため、プルトップ開口の周縁部におけるプルトップタブにおける缶本体との固定部の周辺に位置する部分の下側に位置する部分についてもより確実に封止できる。
【００２８】
請求項９に記載の発明によれば、プルトップ開口封止具を飲料用缶の上蓋部に側方からスライドさせて装着するのに伴って、封止部がプルトップ開口の周縁部に密着して封止が行われるため、簡単な装着操作により、飲料用缶のプルトップ開口を封止できる。
【００２９】
また、ステイオンタブ式の飲料用缶の場合であっても、プルトップ開口を確実に封止できる。すなわち、封止部がプルトップ開口に対応する方向から本体部がスライドされて上蓋部に装着されるのに伴って、封止部の挿入先端部が、プルトップタブの前記口金押し下げ部の下側に挿入され、プルトップ開口の周縁部における上蓋部の径方向内方側の部分に密着する。これによって、プルトップ開口の周縁部におけるプルトップタブの口金押し下げ部の下方に位置する部分についても確実に封止できる。
【発明を実施するための最良の形態】
【００３０】
［第１実施形態］
図１は本発明の第１実施形態に係る飲料用缶のプルトップ開口封止具（以下、単に「封止具」という）の上面図であり、図２はその封止具の一部を簡略化した斜視図であり、図３は図１のＡ１−Ａ１線に沿った断面図であり、図４は図１のＡ２−Ａ２線に沿った一部を省略して示す断面図であり、図５は図３の断面図において開閉部を開放した状態を示す図であり、図６は図１の封止具のロック部材の平面図である。
【００３１】
本実施形態に係る封止具１は、後述する図９等に示すように、プルトップ開栓式（特に、開栓時にプルトップタブが缶本体から外れないで残るステイオンタブ式）の飲料用缶２のプルトップ開口３を封止するために用いられる。
【００３２】
ここで、図９及び図１０を参照して、プルトップタブ４及びプルトップ開口３の構成について簡単に説明する。プルトップタブ４は、リベット等を用いたタブ固定部５により缶本体に取り付けられている。プルトップタブ４のリング状の引き上げ部４ａを上方に引き上げることにより、プルトップタブ４の口金押し下げ部４ｂが口金が下方に押し下げられ、これによってプルトップ開口３が開栓される。プルトップダブ４のタブ固定部５の周辺部にける引き上げ部４ａ側には、引き上げ部４ａ側に延設された延設部４ｃが設けられている。
【００３３】
封止具１は、図１ないし図６に示すように、本体部１１と、開閉部１２と、ロック部及び操作部としてのロック部材１３と、封止部１４と、プルトップ押し下げ部１５とを備えている。
【００３４】
本体部１１は、ベース部２１、左右両側の係合部２２、後方側の係合部２３、及び結合部としての軸支部２４を備えている。ベース部２１は、この封止具１が飲料用缶２に装着されたときに飲料用缶２の天板６の上方において、天板６と略平行に配置され、天板６の略半分程度の領域を覆うようになっている。左右の係合部２２は、飲料用缶２の上蓋部７と胴部８とを結合するかしめ部９の下側の周方向に連なる溝状の凹部に左右両側から嵌り込んで着脱可能に係合する（図４参照）。後方の係合部２３は、かしめ部９の下側の前記凹部に後方側から嵌り込んで着脱可能に係合する（図１０参照）。各係合部２２，２３の飲料用缶２の周面との当接面は、飲料缶２の周面に沿った円弧形状を有している。
【００３５】
そして、本体部１１は、後述する開閉部１２が開放された状態で、後述する図９に示すように、上蓋部７の略側方からスライドさせるようにして左右の係合部２２をかしめ部９に係合させることにより、上蓋部７に装着される。このとき、円弧形状の当接面を有する左右の係合部２２が飲料用缶２の周面に嵌合することにより、本体部１１が上蓋部７上の所定位置に位置決めされる（例えば、本実施形態の場合、後述する軸支部２４の回転軸２４ａが上蓋部７の略中心軸上を通る位置に位置決めされる）。また、本体部１１が上蓋部７に装着されるのに伴って後方の係合部２３がかしめ部９に係合する。
【００３６】
なお、このような係合部２２，２３は、例えばベース部２１を構成する板材の外縁部の一部を外方に延設させ、その延設させた部分を断面略Ｕ字形に下方に折り曲げることにより形成される。また、後方の係合部２３については省略可能である。
【００３７】
軸支部２４は、開閉部１２が上蓋部７に対して近接、離反する方向に開閉するように、開閉部１２を軸支している。この軸支部２４は、開閉部１２の回転軸２４ａがベース部２１の上面よりも上方に位置するように、ベース部２１の上面から上方に突設されている。また、軸支部２４には、開閉部１２を開方向に付勢するつる巻きバネ２４ｂが回転軸２４ａの回りに設けられている。なお、このつる巻きバネ２４ｂは必ずしも必須のものでなく、省略さいてもよい。
【００３８】
開閉部１２は、本体部１１のベース部２１の前方側において開閉動作可能な状態で軸支部２４によって軸支されている。閉じられたときは、開閉部１２はベース部２１と平行に連なった状態となる（図１及び図３に示す状態）。また、開閉部１２が閉じられた閉鎖位置にあるときは、後述するロック部材１３によりロックされ、ロックが解除されるまで閉鎖位置に保持される。ロック部材１３によるロックが解除されたときは、開閉部１２は例えば図５に示すように（あるいは図５の状態よりも大きな開き角度で）、ベース部２１の上方に回転可能とされる。なお、ロック部材１３によるロックが解除されるの伴って、つる巻きバネ２４ｂの付勢力により、開閉部１２は閉鎖位置から上方に回転される。
【００３９】
このような開閉部１２の左右両側の側面部には、ロック部材１３の後述するロック部２６ｂが嵌り込んで係合する係合凹部１２ａが設けられている。
【００４０】
ロック部材１３は、開閉部１２が閉じられたときに（閉鎖位置にセットされたときに）、開閉部１２に係合して開閉部１２を閉鎖位置にロックするとともに、操作者から与えられる操作力に基づいて開閉部１２との係合状態を解除（ロック解除）する。ロック部材１３の具体的な構成については種々の構成が採用可能であるが、本実施形態では図６等に示す構成が採用されている。
【００４１】
この図６等に示すロック部材１３は、全体として樹脂製の左右に二股に分かれた板状の部材であり、左右の腕部２６と、その左右の腕部２６を結合する部分に設けられた操作部２７とを備えている。各腕部２６の中間部には、本体部１１のベース部２１にボルト等の固定具２８が挿通された支持孔２６ａが設けられている。各腕部２６の先端部の内側の部分が開閉部１２の係合凹部１２ａと係合するロック部２６ｂとなっている。また、左右の腕部２６と操作部２７とが略直角をなすように結合された部分（屈曲部２９）は、操作力により操作部２７が矢印Ｂ１方向に押圧移動されたときに、腕部２６と操作部２７との成す角度（屈曲角度）が小さくなるように弾性的に変形する。この変形に伴って、左右の腕部２６が支持孔２６ａの回りに回転し、これ伴って左右の腕部２６のロック部２６ｂが矢印Ｂ２で示すように外側に移動される。そして、操作部２７に対する操作力が解除されるのに伴って、屈曲部２９の変形が元の状態に復帰し、これによって操作部２７及びロック部２６ｂが元の位置に復帰する。
【００４２】
左右のロック部２６ｂの上面２６ｃは、図７に示すように、左右方向の内方に向けて斜め下方に傾斜した傾斜面となっている。これによって、開閉部１２が閉じられるときに、開閉部１２の左右両端の下面側のエッジがロック部２６ｂの上面２６ｃに摺接されつつ下方に進み、これに伴って、左右の腕部２６が左右方向外方に撓み、ロック部２６ｂが矢印Ｂ２で示すように外側に押しやられる。そして、図８に示すように開閉部１２が閉鎖位置に到達するのに伴って、左右のロック部２６ｂが矢印Ｂ３で示す左右方向内方に復帰し、開閉部１２の係合凹部１２ａに嵌まり込み、これによって開閉部１２の動きが止められる（ロックがかけられる）。開閉部１２を開くときは、上述のように、ロック部材１３の操作部２７を矢印Ｂ１方向（前方）に押圧移動させて、左右のロック部２６ｂを矢印Ｂ２方向（左右方向外方）に移動させ、ロック部２６ｂと係合凹部１２ａとの係合を解除させる（ロックを解除する）。このロック解除に伴って、開閉部１２はつる巻きバネ２４ｂの付勢力により上方に跳ね上げられるように開放される。
【００４３】
封止部１４は、開閉部１２における飲料用缶２の上蓋部７に向けられる面（閉鎖位置にあるときの下面）に設けられ、本体部１１が上蓋部７に装着された状態で開閉部１２が閉じられたときに、プルトップ開口３の周縁部に密着してプルトップ開口３を封止する。このような封止部１４は、支持部材３１、封止材３２、押さえ部材３３、固定手段としての固定具３４、及び補助部材３５を備えている。
【００４４】
支持部材３１は、開閉部１２の下面に結合された第１の取付部３１ａと、折曲げ部３１ｂを介して第１の取付部３１ａと結合された第２の取付部３１ｃとを有する。そして、第１の取付部３１ａと第２の取付部３１ｃとの間の間隔を増減させるような外力に対して、折曲げ部３１ｂが弾性変形する。なお、本実施形態では支持部材３１を開閉部１２を構成する部材と別部材として構成し、これらを接着剤等で接合するようにしているが、これらを連続した単一の部材により構成してもよい。
【００４５】
封止材３２は、略ゴム状の弾性を有するシート状の部材（例えば、シリコンゴム等のゴムシート材）であり、支持部材３１の第２の取付部３１ｃに重ね合わせるようにして配置され、プルトップ開口３の周縁部に密着して封止する。封止材３２の外形サイズは、プルトップ開口３の外形サイズよりもいくらか大きめに設定されている。封止材３２が略ゴム状の弾性を有しているため、プルトップ開口３の周縁部に位置する凹凸を吸収し、周縁部に確実に密着させることができる。
【００４６】
押さえ部材３３は、断面が所定の屈曲形状に仕上げられた略板状の部材であり、封止材３２を支持部材３１の第２の取付部３１ｃとの間で挟み込むようにして支持する。この押さえ部材３３は、封止材３２の先端側（特に挿入先端部３２ａ）の姿勢（又は形状）を調節する役割も担っている。
【００４７】
固定具３４は、例えば大径の頭部を有するピン部材３４ａ（例えば、ボルト）、及びそのピン部材３４ａの脚部に外嵌されるリング部材３４ｂ（例えば、ナット）等を備えている。そして、第２の取付部３１ｃ、封止材３２及び押さえ部材３３に設けられた貫通孔にピン部材３４ａのピン部材３４ａの脚部が通された状態で、その脚部にリング部材３４ｂが外嵌されることにより、第２の取付部３１ｃと押さえ部材３３とが封止材３２を挟み込んだ状態で固定される。
【００４８】
補助部材３５は、支持部材３１の第２の取付部３１ｃと封止材３２の後端側の部分との間に配置された略板状の部材であり、封止材３２の後端側の部分の姿勢（又は形状）を調節する役割等を担っている。
【００４９】
このような封止部１４の構成により、開閉部１２がプルトップ開口３の略上方に位置するように本体部１１が上蓋部７に装着された状態で、開閉部１２が閉じられたときに、封止材３２がプルトップ開口３の周縁部に密着し、プルトップ開口３が封止される。このとき、支持部材３１の折曲げ部３１ｂの弾性により、封止材３２を適度な押圧力でプルトップ開口３の周縁部に密着させることができる。これによって、プルトップ開口３の封止の信頼性が向上する。
【００５０】
また、この封止部１４の封止材３２には、本体部１１が飲料用缶２の上蓋部７に装着されたときに、上蓋部７の径方向内方に向けて張り出す挿入先端部３２ａが設けられている（図３参照）。この挿入先端部３２ａは、開閉部１２がプルトップ開口３の略上方に位置するように本体部１１が上蓋部７に装着された状態で、開閉部１２が閉じられたときに、プルトップタブ４の口金押し下げ部４ｂの下側に挿入され、プルトップ開口３の周縁部における上蓋部７の径方向内方側の部分に密着する（図１０参照）。これによって、ステイオンタブ式の飲料用缶２の場合であっても、プルトップ開口３を確実に封止できる。
【００５１】
なお、本実施形態では、封止材３２の挿入先端部３２ａとともに、押さえ部材３３の先端部も口金押し下げ部４ｂの下側に挿入され、押さえ部材３３の先端部によって封止材３２の挿入先端部３２ａがプルトップ開口３の周縁部に押し付けられるようになっている。このため、この押さえ部材３３の先端部も本発明に係る挿入先端部の一部として捉えることもできる。
【００５２】
プルトップ押し下げ部１５は、本体部１１のベース部２１の下面側に設けられ、開閉部１２がプルトップ開口３の略上方に位置するように本体部１１が飲料用缶２の上蓋部７に装着されたときに、プルトップタブ４の引き上げ部４ａが斜め上方に起こされている場合にその引き上げ部４ａを下方に押し下げる。これによって、プルトップタブ４の口金押し下げ部４ｂが上方に起こされる。このため、封止材３２の挿入先端部３２ａの口金押し下げ部４ｂの下側への挿入を容易とすることができ、プルトップ開口３の封止の信頼性をさらに高めることができる。
【００５３】
また、プルトップ押し下げ部１５は、スライド操作を伴う封止具１の着脱時にプルトップ押し下げ部１５がプルトップタブ４に引っ掛かりスライド操作の障害にならないように、前方側及び後方側の表面が傾斜面又は湾曲面となっている。本実施形態では、プルトップ押し下げ部１５を本体部１１のベース部２１を構成する部材と別部材とし、両者を接着剤等で接合する構成としたが、両者を連続した単一の部材として構成してもよい。
【００５４】
また、本実施形態に係る封止具１では、上述のように、本体部１１の軸支部２４が、開閉部１２が開閉されるときの回転軸２４ａがベース部２１の上面よりも上方に位置するように、ベース部２１の上面から上方に突設されている。このため、開閉部１２が閉じられるときに、封止部１４の封止材３２の挿入先端部３２ａを飲料用缶２の天板６に対してより平行に近い方向からプルトップタブ４の口金押し下げ部４ｂの下側に挿入できる。これによって、口金押し下げ部４ｂがやや下方に変位されている場合等であっても、封止材３２の挿入先端部３２ａを口金押し下げ部４ｂの下側へ確実に挿入させることできる。
【００５５】
ここで、上述の封止具１における本体部１１及び開閉部１２は、複数の樹脂製の板材を重ね合わせるようにして配置して構成しているが、本体部１１及び開閉部１２をそれぞれ単一の樹脂部材により形成してもよい。あるいは、本体部１１と開閉部１２とを結合する軸支部２４を薄肉状のヒンジ部として、本体部１１と開閉部１２とを連続した単一の樹脂部材により形成してもよい。あるいは、本体部１１及び開閉部１２の両方又はいずれか一方を金属性の部材により構成してもよい。
【００５６】
次に、図９及び図１０を参照して、封止具１の着脱操作について説明する。封止具１を装着するときは、開閉部１２を開放させた状態で、図９に示すように、開閉部１２が設けられる部分を前方側に向けて、上蓋部７の側方側におけるプルトップ開口３が設けられる側と反対側（プルトップタブ４の引き上げ部４ａが設けられる側）の方向からスライドさせるようにして左右の係合部２２をかしめ部９に係合させる。これに伴って、後方の係合部２３もかしめ部９に係合する。これによって、封止具１の本体部１１が、上蓋部７に装着される。このとき、開閉部１２がプルトップ開口３の上方に位置している。
【００５７】
続いて、図１０に示すように、開閉部１２を閉じることにより、封止材３２がプルトップ開口３の周縁部に密着し、プルトップ開口３が封止される。この開閉部１２の閉鎖に伴って、ロック部材１３の左右のロック部２６ｂが開閉部１２の係合凹部１２ａに係合し、開閉部１２が閉鎖位置にロックされる。
【００５８】
封止具１を取り外すときは、まず上述の如くロック部材１３の操作部２７を押圧操作して、ロック部材１３による開閉部１２のロックを解除する。このロック解除に伴って、開閉部１２がつる巻きバネ２４ｂの付勢力により上方に跳ね上げられるようにして開放する。この状態では、開閉部１２の開放に伴ってプルトップ開口３が開放されるため、プルトップ開口３から飲料を取り出すことができる。すなわち、開閉部１２を開閉させることにより、封止具１の本体部１１を飲料用缶２に装着したままの状態でプルトップ開口３を封止、開放できる構成となっている。
【００５９】
続いて、封止具１をその後方側の部分（開閉部１２が設けられる部分と反対側の部分）を先頭側にして、上蓋部７の径方向にスライドさせることにより、係合部２２，２３とかしめ部９との係合を解除する。
【００６０】
以上のように、本実施形態に係る封止具１によれば、本体部１１に設けられた複数の係合部２２，２３を、飲料用缶２の上蓋部７と胴部８とを結合するかしめ部９に係合させる構成であるため、封止具１の飲料用缶からの意図しない脱落等を確実に防止することができる。
【００６１】
また、上蓋部７の略側方からスライドさせるようにして左右の係合部２２をかしめ部９に係合させることにより、封止具１の装着が行われるため、封止具１の飲料用缶２への装着を簡単に行うことができるとともに、封止具１を飲料用缶２に対して容易に着脱して繰り返し使用できる。
【００６２】
また、封止具１の本体部１１が飲料用缶２の上蓋部７に装着された状態で開閉部が閉じられたときに、封止部１４がプルトップ開口３の周縁部に密着してプルトップ開口３を封止するため、上述の如く、プルトップタブ４の口金押し下げ部４ｂ等の障害物を回避しながら飲料用缶のプルトップ開口３を確実に封止できる。
【００６３】
また、封止部１４が設けられた開閉部１２が開閉可能に本体部１１に結合されているため、本体部１１を飲料用缶２に装着するときに封止部１４が邪魔になることがなく、本体部１１の飲料用缶２への装着を容易に行うことができる。
【００６４】
また、開閉部１２に封止部１４が設けられているため、開閉部１２を開閉させることにより、封止具１の本体部１１を飲料用缶２に装着したままの状態でプルトップ開口３を封止、開放でき、便利である。
【００６５】
なお、上述の第１実施形態に係る封止部１４に関する変形例として、図１１に示すように、支持部材３１の第２の取付部３１ｃに封止材３２を直接固定してもよい。この場合、封止材３２の固定手段としては、例えば接着剤、両面テープ等が用いられる。また、他の変形例として、支持部材３１の第２の取付部３１ｃを覆うようにして袋状の封止材３２を取付部３１ｃに装着するようにしてもよいし、インモールド成形等により第２の取付部３１ｃの周囲を覆うようにして封止材３２を形成してもよい。
【００６６】
［第２実施形態］
図１２は本発明の第２実施形態に係る飲料用缶のプルトップ開口封止具（以下、単に「封止具」という）の上面図であり、図１３はその封止具の正面図であり、図１４は図１２のＡ３−Ａ３線に沿った断面図であり、図１５は図１２のＡ４−Ａ４線に沿った一部を省略して示す断面図である。
【００６７】
本実施形態に係る封止具１Ａは、上述の第１実施形態に係る封止具１の場合と同様に、がプルトップ開栓式（特に、ステイオンタブ式）の飲料用缶２のプルトップ開口３を封止するために用いられる。なお、この封止具１Ａを飲料用缶２に装着する手法としては、後述する図１６ないし図２０に示す第１の装着手法と、後述する図２１ないし図２３に示す第２の装着手法とがある。
【００６８】
この封止具１Ａは、図１２ないし図１５に示すように、本体部４１、封止部４２、及びプルトップ挿入部４３を備えて構成される。
【００６９】
本体部４１は、ベース部５１、左右両側の係合部５２及び後方側の係合部５３を備えている。ベース部５１は、この封止具１Ａが飲料用缶２に装着されたときに飲料用缶２の天板６の上方において、天板６と略平行に配置され、天板６の略半分程度の領域を覆うようになっている。左右の係合部５２は、飲料用缶２のかしめ部９の下側の凹部に左右両側から嵌り込んで着脱可能に係合する（図１５参照）。後方の係合部５３は、かしめ部９の下側の凹部に後方側から嵌り込んで着脱可能に係合する（図１８又は図２３参照）。各係合部５２，５３の飲料用缶２の周面との当接面は、飲料缶２の周面に沿った円弧形状を有している。
【００７０】
そして、本体部４１は、後述する図１６等に示すように、上蓋部７の略側方からスライドさせるようにして左右の係合部５２をかしめ部９に係合させることにより、上蓋部７に装着される。このとき、円弧形状の当接面を有する左右の係合部２２が飲料用缶２の周面に嵌合することにより、本体部１１が上蓋部７上の所定位置に位置決めされる。また、本体部４１が上蓋部７に装着されるのに伴って後方の係合部５３がかしめ部９に係合する。
【００７１】
なお、このような係合部５２，５３は、例えばベース部５１を構成する板材の外縁部の一部を外方に延設させ、その延設させた部分を断面略Ｕ字形に下方に折り曲げることにより形成される。また、後方の係合部５３については省略可能である。
【００７２】
封止部４２は、本体部４１が飲料用缶２の上蓋部７に装着されたときに、プルトップ開口３の周縁部に密着してプルトップ開口３を封止する。この封止部４２は、封止材５４、及びその封止材５４を支持する支持部５５を備えている。
【００７３】
支持部５５は、本体部４１のベース部５１の下面から下方に突出するようにして設けられ、封止具１Ａの前方側に開口した中空構造を有しており、この支持部５５の中空部が、プルトップ挿入部４３として機能する。本実施形態では、支持部５５と本体部４１のベース部５１とを別部材として形成し、その両者を接着剤等で接合する構成としたが、支持部５５とベース部５１とを連続した単一の部材によって構成してもよい。
【００７４】
封止材５４は、略ゴム状の弾性を有するシート状の部材（例えば、シリコンゴム等のゴムシート材）であり、支持部５５の底壁部５５ａの下面に固定手段（例えば、接着剤又は両面テープ等）により固定され、プルトップ開口３の周縁部に密着して封止する。封止材５４の外形サイズは、プルトップ開口３の外形サイズよりもいくらか大きめに設定されている。封止材３２が略ゴム状の弾性を有しているため、プルトップ開口３の周縁部に位置する凹凸を吸収し、周縁部に確実に密着させることができる。
【００７５】
支持部５５の底壁部５５ａにおける先端側（飲料用缶２の上蓋部７の径方向内方側）の縁部には、封止具１Ａが飲料用缶２に装着された際に、支持部５５がプルトップタブ４の固定部５と干渉しないように、円弧状の逃げ部（切欠部）５５ｂが設けられている。なお、本実施形態では、封止材５４の先端側にも支持部５５ａの逃げ部５５ｂに対応して切欠部が設けられているが、封止材５４については切欠部を設けず先端側の縁部を直線的な形状としてもよい。
【００７６】
また、支持部５５の後方側の外壁面５５ｃは、封止具１Ａを飲料用缶２から略側方にスライドさせて取り外すときに、支持部５５が上蓋部７の上方に立ち上がった縁部に引っ掛からないように傾斜面又は湾曲面とされている。
【００７７】
このような封止部４２の構成により、封止部４２がプルトップ開口３の上方に位置するように本体部４１が上蓋部７に装着されたときに、封止材５４がプルトップ開口３の周縁部に密着し、プルトップ開口３が封止される。
【００７８】
また、この封止部４２の封止材５４の先端部は、支持部５５の先端部と共に、本体部４１が飲料用缶２の上蓋部７に装着されたときに、上蓋部７の径方向内方に向けて張り出す挿入先端部４２ａを構成している（図１４等参照）。
【００７９】
この挿入先端部４２ａは、後述する第１の装着手法により、プルトップタブ４の引き上げ部４ａがプルトップ挿入部４３に挿入される方向から本体部４１がスライドされて上蓋部７に装着されるのに伴って、プルトップタブ４の固定部５の周辺に位置する部分（本実施形態では、固定部５から引き出し部４ａ側に張り出す延設部４ｃ）の下側に挿入され（図１８参照）、封止部４２がプルトップ開口３に対向するように封止具１Ａがプルトップタブ４とともに回転されるのに伴って、プルトップ開口３の周縁部における上蓋部７の径方向内方側の部分に密着する（図２０参照）。これに関連して、支持部５５の先端部（例えば、逃げ部５５ｂの内周部）の上面側は、プルトップタブ４の延設部４ｃの下側への挿入が容易なようにテーパ面となている。
【００８０】
また、挿入先端部４２ａは、後述する第２の装着手法により、封止部４２がプルトップ開口３に対応する方向から本体部４１が上蓋部７に装着されのに伴って、プルトップタブ４の口金押し下げ部４ｂの下側に挿入され、プルトップ開口３の周縁部における上蓋部７の径方向内方側の部分に密着する（図２３参照）。
【００８１】
プルトップ挿入部４３は、上述のように支持部５５の中空部により構成され、前方側の開口部からプルトップタブ４の引き上げ部４ａを受け入れて保持する。このプルトップ挿入部４３は、後述する第１の装着手法においてプルトップタブ４を回転させるために用いられる。なお、封止具１Ａが専ら後述の第２の装着手法によって飲料用缶２に装着される場合には、プルトップ挿入部４３を省略してもよい。
【００８２】
次に、図１６ないし図２０を参照して、この封止具１Ａが第１の装着手法により飲料用缶２の装着される際の装着手順について説明する。まず、図１６に示すように、プルトップタブ４の引き上げ部４ａがプルトップ挿入部４３に挿入される方向から本体部４１をスライドさせて、左右の係合部５２をかしめ部９に係合させる。これに伴って、後方の係合部５３もかしめ部９に係合する。これによって、封止具１Ａの本体部４１が上蓋部７に装着される（図１７及び図１８参照）。
【００８３】
このとき、プルトップタブ４の引き上げ部４ａが封止具１Ａのプルトップ挿入部４３内に挿入されて保持されている。また、この本体部４１の装着に伴って、封止部４２の挿入先端部４２ａが、プルトップタブ４の固定部５５から引き出し部４ａ側に張り出す延設部４ｃの下側（すなわち、延設部４ｃと天板６との間に隙間）に挿入される。（図１８参照）
続いて、封止具１Ａを飲料用缶２の中心軸回りに図１７の矢印Ｂ４の回転方向に約１８０度回転させ、封止部４２の封止材５４をプルトップ開口３と対向させる。これに伴って、封止材５４がプルトップ開口３の周縁部に密着して封止する（図１９及び図２０参照）。このとき、封止部４２の挿入先端部４２ａが、プルトップ開口３の周縁部におけるプルトップタブ４の延設部４ｃの下側に位置する上蓋部７の径方向内方側の部分に密着する。
【００８４】
そして、封止具１Ａを飲料用缶２から取り外す際には、封止具１Ａをその後方側の部分を先頭側にして（プルトップ挿入部４３からプルトップタブ４の引き上げ部４ａが引き抜かれるように）、上蓋部７の径方向にスライドさせることにより、係合部５２，５３とかしめ部９との係合を解除する。
【００８５】
次に、図２１ないし図２３を参照して、この封止具１Ａが第２の装着手法により飲料用缶２の装着される際の装着手順について説明する。まず、図２１に示すように、封止部４２が飲料用缶２のプルトップ開口３に対応する方向から本体部４１をスライドさせて、左右の係合部５２をかしめ部９に係合させる。これに伴って、後方の係合部５３もかしめ部９に係合する。これによって、封止具１Ａの本体部４１が上蓋部７に装着されるとともに、封止材５４がプルトップ開口３の周縁部に密着して封止する（図２２及び図２３参照）。
【００８６】
このとき、封止部４２の挿入先端部４２ａが、本体部４１が上蓋部７に装着されのに伴って、プルトップタブ４の口金押し下げ部４ｂの下側に挿入され、プルトップ開口３の周縁部における上蓋部７の径方向内方側の部分に密着する（図２３参照）。
【００８７】
封止具１Ａの飲料用缶２からの取り外しは、上述の第１の装着手法により装着された場合とほぼ同様にして行うことができる。
【００８８】
以上のように、本実施形態に係る封止具１Ａによれば、本体部４１に設けられた複数の係合部５２，５３を、飲料用缶２のかしめ部９に係合させる構成であるため、封止具１Ａの飲料用缶２からの意図しない脱落等を確実に防止することができる。
【００８９】
また、飲料用缶２の上蓋部７の略側方からスライドさせるようにして左右の係合部２２をかしめ部９に係合させることにより、封止具１Ａの装着が行われるため、封止具１Ａの飲料用缶２への装着を簡単に行うことができるとともに、封止具１Ａを飲料用缶２に対して容易に着脱して繰り返し使用できる。
【００９０】
また、封止具１Ａを飲料用缶２に装着する際の手法として上述の第１及び第２の装着手法を選択できるため、飲料用缶２のプルトップ開口３の周縁部の状況及び利用者の趣向等に柔軟に対応しつつ、プルトップ開口３の確実な封止を図れる。
【００９１】
また、封止具１Ａの装着手法として第１の装着手法が選択された場合には、プルトップタブ４の引き上げ部４ａがプルトップ挿入部４３に挿入されるようにして本体部４１が上蓋部７に装着された状態で封止具１Ａが回転された際に、プルトップタブ４も缶本体との固定部５を中心に回転され、これによって、プルトップタブ４の口金押し下げ部４ｂがプルトップ開口３の外方（固定部５を挟んだ反対側）に移動される。その結果、ステイオンタブ式の飲料用缶２の場合であっても、プルトップタブ４の口金押し下げ部４ｂに邪魔させることなく、封止材５４をプルトップ開口３の周縁部に容易に密着させることができ、プルトップ開口３を確実に封止できる。
【００９２】
また、封止部４２の挿入先端部４２ａが、プルトップタブ４の引き上げ部４ａがプルトップ挿入部４３に挿入される方向から本体部４１がスライドされて上蓋部７に装着されるのに伴って、プルトップタブ４における固定部５の周辺部（延設部４ｃ）の下側に挿入され、封止部４２がプルトップ開口３に対向するように封止具１Ａがプルトップタブ４とともに回転されるのに伴って、プルトップ開口３の周縁部における上蓋部７の径方向内方側の部分に密着する。このため、プルトップ開口３の周縁部におけるプルトップタブ４における固定部５の周辺部（延設部４ｃ）の下側に位置する部分についてもより確実に封止できる。
【００９３】
また、封止具１Ａの装着手法として第２の装着手法が選択された場合には、封止具１Ａを略側方からスライドさせて飲料用缶２に装着するだけで、その装着操作に伴ってプルトップ開口３が封止材５４によって封止される。それ故、封止具１Ａの回転操作が不要であり、より簡単な装着操作により封止具１Ａの装着が行えるという利点がある。
【００９４】
また、この第２の装着手法が選択された場合においては、本体部４１が上蓋部７に装着されのに伴って、封止部４２の挿入先端部４２ａが、プルトップタブ４の口金押し下げ部４ｂの下側に挿入され、プルトップ開口３の周縁部における上蓋部７の径方向内方側の部分に密着する。これによって、プルトップ開口３の周縁部におけるプルトップタブ４の口金押し下げ部４ｂの下方に位置する部分についても確実に封止でき、ステイオンタブ式の飲料用缶２の場合であっても、プルトップ開口３を確実に封止できる。
【００９５】
なお、上述の第２実施形態に係る封止部４２に関する変形例として、図２４に示すように、支持部５５の底壁部５５ａ（この場合、底壁部５５ａは片持ち梁状の構造を有する）を覆うようにして袋状の封止材５４を底壁部５５ａに装着するようにしてもよいし、インモールド成形等により底壁部５５ａの周囲を覆うようにして封止材５４を形成してもよい。
【図面の簡単な説明】
【００９６】
【図１】本発明の第１実施形態に係る飲料用缶のプルトップ開口封止具の上面図である。
【図２】図１のプルトップ開口封止具の一部を簡略化した斜視図である。
【図３】図１のＡ１−Ａ１線に沿った断面図である。
【図４】図１のＡ２−Ａ２線に沿った一部を省略して示す断面図である。
【図５】図３の断面図において開閉部を開放した状態を示す図である。
【図６】図１のプルトップ開口封止具のロック部材の平面図である。
【図７】図１のプルトップ開口封止具の開閉部の係合凹部にロック部材のロック部が係合するときの様子を示す図である。
【図８】図１のプルトップ開口封止具の開閉部の係合凹部にロック部材のロック部が係合するときの様子を示す図である。
【図９】図１のプルトップ開口封止具が飲料用缶に装着されるときの様子を示す図である。
【図１０】図１のプルトップ開口封止具が飲料用缶に装着された状態を示す断面図である。
【図１１】図１のプルトップ開口封止具の封止部の変形例を示す図である。
【図１２】本発明の第２実施形態に係る飲料用缶のプルトップ開口封止具の上面図である。
【図１３】図１２のプルトップ開口封止具の正面図である。
【図１４】図１２のＡ３−Ａ３線に沿った断面図である。
【図１５】図１２のＡ４−Ａ４線に沿った一部を省略して示す断面図である。
【図１６】図１２のプルトップ開口封止具が第１の装着手法により飲料用缶に装着されるときの様子を示す図である。
【図１７】図１２のプルトップ開口封止具が第１の装着手法により飲料用缶に装着されるときの様子を示す図である。
【図１８】図１７の状態における断面図である。
【図１９】図１７の状態からプルトップ封止具が約１８０度回転された状態を示す図である。
【図２０】図１２のプルトップ開口封止具が第１の装着手法により飲料用缶に装着された状態を示す断面図である。
【図２１】図１２のプルトップ開口封止具が第２の装着手法により飲料用缶に装着されるときの様子を示す図である。
【図２２】図１２のプルトップ開口封止具が第２の装着手法により飲料用缶に装着された状態を示す図である。
【図２３】図２２の状態における断面図である。
【図２４】図１２のプルトップ開口封止具の封止部の変形例を示す図である。
【符号の説明】
【００９７】
１，１Ａ  プルトップ開口封止具、２  飲料用缶、３  プルトップ開口、４  プルトップタブ、４ａ  引き上げ部、４ｂ  口金押し下げ部、５  タブ固定部、６  天板、７  上蓋部、８  胴部、９  かしめ部、１１  本体部、１２  開閉部、１２ａ  係合凹部、１３  ロック部材、１４  封止部、１５  プルトップ押し下げ部、２１  ベース部、２２，２３  係合部、２４  軸支部、２４ａ  回転軸、２４ｂ  つる巻きバネ、２６  腕部、２６ａ  支持孔、２６ｂ  ロック部、２６ｃ  上面（傾斜面）、２７  操作部、２８  固定具、２９  屈曲部、３１  支持部材、３１ａ  第１の取付部、３１ｂ  折曲げ部、３１ｃ  第２の取付部、３２  封止材、３２ａ  挿入先端部、３３  押さえ部材、３４  固定具、３４ａ  ピン部材、３４ｂ  リング部材、３５  補助部材、４１  本体部、４２  封止部、４２ａ  挿入先端部、４３  プルトップ挿入部、５１  ベース部、５２，５３  係合部、５４  封止材、５５  支持部、５５ａ  底壁部、５５ｂ  逃げ部（切欠部）、５５ｃ  外壁面。
【図１】
0004747151.tif 000002
【図２】
0004747151.tif 000003
【図３】
0004747151.tif 000004
【図４】
0004747151.tif 000005
【図５】
0004747151.tif 000006
【図６】
0004747151.tif 000007
【図７】
0004747151.tif 000008
【図８】
0004747151.tif 000009
【図９】
0004747151.tif 000010
【図１０】
0004747151.tif 000011
【図１１】
0004747151.tif 000012
【図１２】
0004747151.tif 000013
【図１３】
0004747151.tif 000014
【図１４】
0004747151.tif 000015
【図１５】
0004747151.tif 000016
【図１６】
0004747151.tif 000017
【図１７】
0004747151.tif 000018
【図１８】
0004747151.tif 000019
【図１９】
0004747151.tif 000020
【図２０】
0004747151.tif 000021
【図２１】
0004747151.tif 000022
【図２２】
0004747151.tif 000023
【図２３】
0004747151.tif 000024
【図２４】
0004747151.tif 000025